(57)【要約】【課題】打球音が大きく、残響が長いゴルフクラブヘッドおよびゴルフクラブを提供する。【解決手段】本発明のゴルフクラブヘッドは、ゴルフボールを打撃するフェース面を備えるフェース部、ソール部、クラウン部およびサイド部を有し、フェース部、ソール部、クラウン部およびサイド部により外殻構造が構成されたものである。これらソール部、クラウン部およびサイド部のうち、少なくとも１つの部材は、フェース面の最小曲率半径よりも曲率半径が大きい領域を有する。この領域の共振周波数の値は、フェース面の共振周波数の値の±１０％以内である。【選択図】図２
2008200339.tif 000002
【特許請求の範囲】
【請求項１】
ゴルフボールを打撃するフェース面を備えるフェース部、ソール部、クラウン部、およびサイド部を有し、前記フェース部、前記ソール部、前記クラウン部、および前記サイド部により外殻構造が構成されたゴルフクラブヘッドであって、
前記ソール部、前記クラウン部、および前記サイド部のうち、少なくとも１つの部材は、前記フェース面の最小曲率半径よりも曲率半径が大きい領域を有し、
前記領域の共振周波数の値は、前記フェース面の共振周波数の値の±１０％以内であることを特徴とするゴルフクラブヘッド。
【請求項２】
前記フェース面の共振周波数は、１次共振周波数または２次共振周波数である請求項１に記載のゴルフクラブヘッド。
【請求項３】
前記領域の前記曲率半径は、最小曲率半径が３００ｍｍ以上であり、前記領域の大きさが前記フェース面の面積の３０〜１２０％である請求項１または２に記載のゴルフクラブヘッド。
【請求項４】
ゴルフボールを打撃するフェース面を備えるフェース部、ソール部、クラウン部、およびサイド部を有し、前記フェース部、前記ソール部、前記クラウン部、および前記サイド部により外殻構造が構成されたゴルフクラブヘッドであって、
前記ソール部、前記クラウン部、および前記サイド部のうち、１つの部材が、前記フェース面よりも曲率半径が大きい領域を複数有するか、または前記ソール部、前記クラウン部、および前記サイド部のうち、少なくとも２つの部材が、前記フェース面の最小曲率半径よりも曲率半径が大きい領域を有するものであり、
前記各領域の共振周波数の差は、前記各領域の共振周波数の小さい方の値の±１０％以内であることを特徴とするゴルフクラブヘッド。
【請求項５】
前記共振周波数は、１次共振周波数である請求項４に記載のゴルフクラブヘッド。
【請求項６】
前記各領域は、同一形状である請求項４または５に記載のゴルフクラブヘッド。
【請求項７】
前記各領域の前記曲率半径は、それぞれ最小曲率半径が３００ｍｍ以上であり、前記各領域の大きさは、それぞれ前記フェース面の面積の３０〜１２０％である請求項４〜６のいずれか１項に記載のゴルフクラブヘッド。
【請求項８】
前記請求項１〜７のいずれか１項のゴルフクラブヘッドと、前記ゴルフクラブヘッドに取り付けられるゴルフクラブシャフトとを有することを特徴とするゴルフクラブ。
【発明の詳細な説明】
【技術分野】
【０００１】
本発明は、フェース部、ソール部、クラウン部、およびサイド部により外殻構造が構成された中空のゴルフクラブヘッドおよびこれを有するゴルフクラブに関し、特に、打球音が大きく、残響が長いゴルフクラブヘッドおよびこれを有するゴルフクラブに関する。
【背景技術】
【０００２】
近年、中空構造のゴルフクラブヘッドとして、炭素繊維強化プラスチック（以下、ＣＦＲＰという）を主材とするもの、およびチタン合金またはステンレス等の金属材料を主材とするものが種々提案されている。
ゴルフクラブヘッドにおいて、ＣＦＲＰを主材とするものは、打球音が小さい。また、ゴルフクラブヘッドにおいて、金属材料を主材とするものは、ゴルフボールを打撃する際の反発特性を向上するためにフェース部材の肉厚を薄くし、しかもゴルフクラブヘッドの体積を大きくしている。このため、ゴルファにとって好ましくない打球音となってしまう場合もある。
【０００３】
一般に、ゴルファは、ゴルフボールの打撃時の打球音を、ゴルフボールの打撃が的確に成されたか否かの判断に用いる。また、ゴルファは、打球音、および残響にゴルフとしての爽快感を求めることもある。ゴルファにとって、好ましい打球音および残響があり、例えば、金属音の打球音が望まれる。
このため、ゴルフボール打撃時の音響特性がゴルファにとって好ましくない場合、ゴルフボールの打撃の良し悪しを判断することが困難となるほか、ゴルフボールの打撃に爽快感を求めることもできないものとなってしまう。
そこで、打球音の残響感を伸ばしたり、音色を調整するために、ゴルフクラブヘッドの内部にリブなどを設けて剛性変化をつけ、打球音を調節することがなされている。これ以外にも、打球音の残響感を伸ばしたり、音色を調整するために、様々な工夫が施されたゴルフクラブヘッドが提案されている（例えば、特許文献１、２）。
【０００４】
特許文献１には、中空ゴルフクラブヘッドのソール部を１０以上の小さな平面ないし小さな曲率を有する曲面に分割し、ソール部の振動を起こりにくくしたゴルフクラブヘッドが開示されている。この特許文献１は、新たな部材を付加することなく、ソール部の形状を変更するのみという簡便な方法で、金属感あふれる良好な打球音を実現できるものである。
【０００５】
特許文献２には、フェース面をインピーダンスヘッドに固定して測定されるフェース部の１次固有振動数と、ソール面をインピーダンスヘッドに固定して測定されるソール部の１次固有振動数の比が、０．９５〜１．０５であるゴルフクラブヘッドが開示されている。
また、特許文献２には、インパルスハンマを用いたつり下げ打撃加振法による固有振動数測定を用いて、フェース面を打撃して測定されるフェース部の１次固有振動数と、ソール面を打撃して測定されるソール部の１次固有振動数の比が、０．９５〜１．０５であるゴルフクラブヘッドが開示されている。
さらには、特許文献２には、フェース部と、ソール部と、バック部とを備え、フェース部からバック部に向かう方向であるフェースバック方向におけるソール部の曲率半径を、８．８９ｃｍ以上１５．２４ｃｍ以下として、フェース部の１次固有振動数にソール部の１次固有振動数を一致させるか、または近い値とするゴルフクラブヘッドが開示されている。
【０００６】
【特許文献１】特開２００４−８９３６８号公報
【特許文献２】特開２００４−１３５８５８号公報
【発明の開示】
【発明が解決しようとする課題】
【０００７】
しかしながら、特許文献１のゴルフクラブヘッドにおいては、ソール部を１０以上の小さな平面ないし小さな曲率を有する曲面に分割し、ソール部の振動を起こりにくくし、不要な振動を抑えているため、他の部位の変形が大きな領域を利用することができず、打球音の改善が十分ではなく、更に打球音を改善することが難しいという問題点がある。
【０００８】
また、特許文献２のゴルフクラブヘッドにおいては、フェース部の１次固有振動数と、ソール部の１次固有振動数の比を０．９５〜１．０５としている。このように、ソール部全体の１次固有振動数を所定の範囲にしなければならず、構成が複雑になり、製造が困難であるという問題点がある。
さらに、特許文献２に開示されたフェースバック方向におけるソール部の曲率半径が、８．８９ｃｍ以上１５．２４ｃｍ以下のゴルフクラブヘッドでは、ソール部の曲率半径が小さいため、振動が生じにくく、十分な振幅が得られない。このため、特許文献２のゴルフクラブヘッドにおいても、打球音の改善が必ずしも十分ではないという問題点がある。
【０００９】
本発明の目的は、前記従来技術の問題点を解決することにあり、打球音が大きく、残響が長いゴルフクラブヘッドおよびゴルフクラブを提供することにある。
【課題を解決するための手段】
【００１０】
前記目的を達成するために、本発明の第１の態様は、ゴルフボールを打撃するフェース面を備えるフェース部、ソール部、クラウン部、およびサイド部を有し、前記フェース部、前記ソール部、前記クラウン部、および前記サイド部により外殻構造が構成されたゴルフクラブヘッドであって、前記ソール部、前記クラウン部、および前記サイド部のうち、少なくとも１つの部材は、前記フェース面の最小曲率半径よりも曲率半径が大きい領域を有し、前記領域の共振周波数の値は、前記フェース面の共振周波数の値の±１０％以内であることを特徴とするゴルフクラブヘッドを提供するものである。
【００１１】
本発明においては、前記フェース面の共振周波数は、１次共振周波数または２次共振周波数であることが好ましい。
また、本発明においては、前記領域の最小曲率半径が、前記フェース面の最小曲率半径よりも大きいことが好ましい。
また、本発明においては、前記領域の前記曲率半径は、最小曲率半径が３００ｍｍ以上であり、前記領域の大きさが前記フェース面の面積の３０〜１２０％であることが好ましい。
【００１２】
また、本発明の第２の態様は、ゴルフボールを打撃するフェース面を備えるフェース部、ソール部、クラウン部、およびサイド部を有し、前記フェース部、前記ソール部、前記クラウン部、および前記サイド部により外殻構造が構成されたゴルフクラブヘッドであって、前記ソール部、前記クラウン部、および前記サイド部のうち、１つの部材が、前記フェース面の最小曲率半径よりも曲率半径が大きい領域を複数有するか、または前記ソール部、前記クラウン部、および前記サイド部のうち、少なくとも２つの部材が、前記フェース面の最小曲率半径よりも曲率半径が大きい領域を有するものであり、前記各領域の共振周波数の差は、前記各領域の共振周波数の小さい方の値の±１０％以内であることを特徴とするゴルフクラブヘッドを提供するものである。
【００１３】
本発明において、前記共振周波数は、１次共振周波数であることが好ましい。
また、本発明において、前記各領域は、同一形状であることが好ましい。
また、本発明においては、前記各領域の最小曲率半径が、それぞれ、前記フェース面の最小曲率半径よりも大きいことが好ましい。
さらに、本発明において、前記各領域の前記曲率半径は、それぞれ最小曲率半径が３００ｍｍ以上であり、前記各領域の大きさは、それぞれ前記フェース面の面積の３０〜１２０％であることが好ましい。
【００１４】
さらに、本発明の第３の態様は、本発明の第１の態様のゴルフクラブヘッドまたは本発明の第２の態様のゴルフクラブヘッドと、前記ゴルフクラブヘッドに取り付けられるゴルフクラブシャフトとを有することを特徴とするゴルフクラブを提供するものである。
【発明の効果】
【００１５】
本発明の第１の態様のゴルフクラブヘッドおよび第３の態様のゴルフクラブによれば、ゴルフボールを打撃するフェース面を備えるフェース部、ソール部、クラウン部およびサイド部により構成される中空の外殻構造を有するものとし、ソール部、クラウン部およびサイド部のうち、少なくとも１つの部材について、フェース面の最小曲率半径よりも曲率半径が大きい領域を設け、この領域の共振周波数の値を、フェース面の共振周波数の値の±１０％以内とすることにより、ゴルフボールを打撃したときに、フェース面から発生する音と領域における部材から発生する音とが干渉して合成される。この合成された音は音圧が高く、音が大きいとともに、うなりを生じる。このため、打球音が大きくなり、残響も長いものとなる。
【００１６】
また、本発明の第２の態様のゴルフクラブヘッドおよび第３の態様のゴルフクラブによれば、ゴルフボールを打撃するフェース面を備えるフェース部、ソール部、クラウン部およびサイド部により構成される中空の外殻構造を有するものとし、ソール部、クラウン部およびサイド部のうち、１つの部材について、フェース面の最小曲率半径よりも曲率半径が大きい領域を複数設けるか、またはソール部、クラウン部、およびサイド部のうち、少なくとも２つの部材に、フェース面の最小曲率半径よりも曲率半径が大きい領域を設け、各領域の共振周波数の差を、各領域の共振周波数の小さい方の値の±１０％以内とすることにより、ゴルフボールを打撃したときに、複数の各領域から発生する各音が干渉して合成される。この合成された音は音圧が高く、音が大きいとともに、うなりを生じる。このため、打球音が大きくなり、残響も長いものとなる。
【発明を実施するための最良の形態】
【００１７】
以下に、添付の図面に示す好適実施形態に基づいて、本発明のゴルフクラブヘッドおよびゴルフクラブを詳細に説明する。
【００１８】
図１は、本発明の第１の実施形態に係るゴルフクラブを示す分解斜視図であり、図２は、図１の模式的側断面図である。
【００１９】
図１に示すように、ゴルフクラブ１０は、ゴルフクラブヘッド２０と、ゴルフクラブシャフト４０とを有する。
ゴルフクラブヘッド２０は、フェース部２２、ソール部２４、クラウン部２６、サイド部２８、２９およびホーゼル部３０を有する中空構造体である。このゴルフクラブヘッド２０は、一般的にウッドタイプと呼ばれる種類のヘッドである。
【００２０】
また、図１に示すように、ホーゼル部３０は、ゴルフクラブシャフト４０をゴルフクラブヘッド２０に固定するものであり、クラウン部２６に設けられている。このホーゼル部３０には、ゴルフクラブシャフト４０が挿入される開口部３２が設けられている。ゴルフクラブシャフト４０は、ゴルフクラブヘッド２０にソケット４２を介して取り付けられている。このソケット４２には、ゴルフクラブシャフト４０を挿通可能な開口部４４が設けられている。
なお、ゴルフクラブシャフト４０は、ゴルフクラブヘッド２０に必ずしもソケット４２を用いて取り付けられる必要はなく、ゴルフクラブによっては、ソケットを用いることなく、ゴルフクラブヘッドに直接ゴルフクラブシャフトが固定されるものもある。
【００２１】
本実施形態のゴルフクラブヘッド２０では、フェース部２２、ソール部２４、クラウン部２６およびサイド部２８、２９は、それぞれ板状に成形されており、これらの部材が相互に接合されて中空の外殻構造を構成している。また、ソール部２４、クラウン部２６およびサイド部２８、２９によりバック体が構成される。このバック体においては、ソール部２４、クラウン部２６およびサイド部２８、２９により開口部が形成される。この開口部にフェース部２２が接合されている。
【００２２】
フェース部２２は、その表面がゴルフボールを打撃するフェース面２３となるものである。このフェース面２３のトウ側からヒール側に向かう水平方向に伸びたスコアラインＬが、例えば、３本平行に形成されている。
なお、フェース部２２の形態は、平板状でもよく、一般にカップフェースと呼ばれている形態のものでもよい。
【００２３】
また、ソール部２４には、フェース部２２のフェース面２３の最小曲率半径よりも、曲率半径が大きい、すなわち、平面に近い領域５０が形成されている。この領域５０は、例えば、円形状を呈するものであり、領域５０の外縁に沿って、所定の高さを有するリブ５２が形成されている。このリブ５２により、領域５０は、ソール部２４の他の領域よりも剛性が高くなり、領域５０の外縁を境界として、他の領域から独立した状態（分離された状態）で振動することができる。
ここで、フェース部２２のフェース面２３の最小曲率半径とは、フェース面２３のトウ−ヒール方向およびソール−クラウン方向等、方向を問わず、曲率半径が最も小さいもののことである。
また、本実施形態において、領域５０の最小曲率半径がフェース部２２のフェース面２３の最小曲率半径よりも大きいことが好ましい。
なお、領域５０は、他の領域から独立した状態（分離された状態）で振動することができれば、必ずしもリブ５２を形成する必要はない。しかしながら、他の領域から独立した状態（分離された状態）で、領域５０を振動させるためには、リブ５２を形成することが好ましい。
【００２４】
また、領域５０は、その共振周波数の値が、フェース部２２のフェース面２３の共振周波数の±１０％以内に形成されているものである。この共振周波数は、例えば、１次共振周波数または２次共振周波数である。なお、共振周波数は、例えば、３次以上の高次の共振周波数であってもよい。
本実施形態において、例えば、フェース部２２のフェース面２３の１次共振周波数が５０００Ｈｚである場合、領域５０の１次共振周波数は、４５００Ｈｚ〜５５００Ｈｚの範囲内である。
なお、領域５０の共振周波数は、例えば、厚さ、材質、および領域自体の形状による剛性を変更することにより、適宜設定することができる。
【００２５】
本発明における共振周波数は、以下のようにして測定されるものであり、この共振周波数の測定方法について説明する。
先ず、共振周波数の測定方法に用いられる第１の測定装置について説明する。
図３は、本発明の第１の実施形態に係るゴルフクラブヘッドの共振周波数の第１の測定装置を示す模式図である。
図３に示すように、第１の測定装置１００においては、ゴルフクラブヘッド２０のフェース面２３に対向する位置にマイクロフォン１０２が配置され、このマイクロフォン１０２に騒音計１０４が接続されている。この騒音計１０４はＡ／Ｄコンバータ１０６を介してパーソナルコンピュータ１０８（以下、パソコンという）に接続されている。
【００２６】
Ａ／Ｄコンバータ１０６は、騒音計１０４から出力された音圧信号をデジタル信号に変換してパソコン１０８に送信する装置である。パソコン１０８は、デジタル化された音圧信号を周波数解析し、ゴルフクラブヘッド２０のフェース面２３の１次共振周波数を求めるための分析機器である。パソコン１０８において、公知の周波数分析により１次共振周波数が求められる。すなわち、フェース面２３に振動を与えた際の音圧信号である応答信号を測定し、この応答信号から、共振周波数として、例えば、１次共振周波数が求められる。
【００２７】
次に、第１の測定装置１００による共振周波数の測定方法について説明する。先ず、ゴルフクラブ１０を用意する。マイクロフォン１０２の近傍に、ゴルフクラブ１０のゴルフクラブヘッド２０のホーゼル部を宙づりにするか、または軽く支持した状態でゴルフクラブ１０を配置する。
【００２８】
この後、ゴルフクラブヘッド２０のフェース面２３をハンマ１１０で加振してフェース面２３を振動させ、加振時の打撃音をマイクロフォン１０２を介して騒音計１０４で測定する。この騒音計１０４で測定された打撃音をＡ／Ｄコンバータ１０６を介してパソコン１０８に取り込み、公知の手法、例えばＦＦＴ（Fast Fourier Transformation）等を用いて、１次共振周波数、２次共振周波数などの共振周波数を求める。
なお、共振周波数を求める際、予め、共振周波数の範囲が分かっていれば、例えば、２０００〜７０００Ｈｚの狭帯域で周波数分析を行うようにパソコン１０８を設定しておくこともできる。
【００２９】
共振周波数の測定方法として、打撃音から測定する測定方法について説明したが、これ限定されるものではなく、他の方法によって共振周波数を測定してもよい。例えば、インパクトハンマでゴルフクラブヘッドを叩き、そのときのフェース面の振動の加速度信号を応答信号として測定し、この加速度信号から共振周波数として、例えば、１次共振周波数を求めてもよい。
【００３０】
次に、共振周波数の測定方法に用いられる第２の測定装置について説明する。
図４は、本発明の第１の実施形態に係るゴルフクラブヘッドの共振周波数の第２の測定装置を示す模式図である。
図４に示すように、第２の測定装置１２０は、ゴルフクラブヘッド２０のフェース面２３に加速度ピックアップ１２２を貼り付け、インパクトハンマ１３０を用いて、フェース面２３にインパクト加振を行う。加速度ピックアップ１２２からアンプ１２４を介して得られる加速度信号と、インパクト加振の加振力を計測するインパクトハンマ１３０を用いてアンプ１２８を介して得られる加振力の加振信号とをＦＦＴアナライザ１２６に取込み、ＦＦＴアナライザ１２６でインパクト加振力に対する加速度信号の関数、すなわち伝達関数を求める。その際、インパクトハンマ１３０による加振位置をゴルフクラブヘッド２０のフェース面２３上で分散させてインパクト加振を行い、伝達関数を加振位置別に求める。このようにして求められた複数の伝達関数において、加振位置にかかわらずフェース面２３の１次共振周波数の振動モードの形態に起因した同一の位相を持つ急峻なピークが現れる。このピーク位置における周波数を共振周波数として取り出す。このように共振周波数を測定するようにしてもよい。また、２次共振周波数についても、１次共振周波数と同様に測定することができる。
なお、本発明においては、共振周波数の測定方法は、上述の測定方法に限定されるものではない。
【００３１】
本実施形態のゴルフクラブヘッド２０においては、ソール部２４に、フェース面２３の最小曲率半径よりも曲率半径が大きく、共振周波数がフェース面２３の共振周波数の±１０％以内である領域５０を設け、この領域５０の外縁に沿ってリブ５２を設ける構成とすることにより、ゴルフボールを打撃して衝撃を受け、ソール部２４が変形した場合、領域５０は、ソール部２４の他の領域とは独立して変形して振動する。
このとき、フェース部２２のフェース面２３からの音と、ソール部２４の領域５０の振動による音とが生じる。これらの音は、周波数が近く、干渉して合成音が生じる。この合成音は、音圧の振幅が大きく、音が大きいとともに、うなりが生じ（図５（ｂ）参照）、打球音が減衰する割合が従来よりも小さくなる。このため、本実施形態においては、ゴルフボールの打撃時において、打球音が大きくなるとともに、打球音の残響が従来よりも長くなる。このように、ゴルファにとって好ましい打球感を得ることができる。例えば、打球音について、金属音を大きくするとともに、金属音の残響を長くすることができる。
【００３２】
さらには、本実施形態のゴルフクラブヘッド２０においては、打球音を大きくすることができるため、打球音がもともと小さいゴルフクラブヘッドについて、その打球音を大きくすることができる。特に、打球音が小さいカーボン製のフェース部を有するゴルフクラブヘッド、およびクラウン部にＣＦＰＲなどの非金属材を用いたものに対しては効果的である。
【００３３】
また、本実施形態のゴルフクラブヘッド２０においては、領域５０の曲率半径は、最小曲率半径が３００ｍｍ以上であり、領域５０の大きさ（面積）は、フェース面２３の面積の３０〜１２０％であることがより好ましい。
領域５０の最小曲率半径を３００ｍｍ以上とし、領域５０の大きさ（面積）をフェース面２３の面積の３０〜１２０％とすることにより、領域５０が面として振動しやすくなり、十分な振幅が得られる。これにより、打球音がより大きくなるとともに、打球音の残響が従来よりも一層長くなる。
ここで、領域５０における最小曲率半径とは、方向を問わず、曲率半径が最も小さいもののことである。
【００３４】
さらにまた、本実施形態のゴルフクラブヘッド２０においては、領域５０の構成により共振周波数を変えて、領域５０の音と、フェース面２３の音との干渉する程度を変えることにより、ゴルフクラブヘッドのもともとの打球音に対して、その打球音の音色を変えることもできる。これにより、ゴルファが好ましいと感じる打球音の音色にすることができる。
【００３５】
また、本実施形態のゴルフクラブヘッド２０においては、ソール部２４に、領域５０およびリブ５２を設けただけであり、ソール部２４全体の共振周波数を調整するものではなく、簡素な構成とすることができる。このため、製造コストを低くすることができる。
【００３６】
また、本実施形態において、ソール部２４に領域５０を設けることにより、他のクラウン部２６、およびサイド部２８、２９に設けるよりも低重心化を図ることができるために好ましい。しかしながら、領域５０を設ける位置は、ソール部２４に限定されるものではない。領域５０を、ソール部２４、クラウン部２６、およびサイド部２８、２９のうち、少なくとも１つの部材に設ければよい。
【００３７】
さらに、本実施形態においては、フェース部２２、ソール部２４、クラウン部２６、またはサイド部２８、２９は、例えば、チタン合金により形成される。このチタン合金としては、例えば、神戸製鋼所社製、ＫＳ１２０（商品名（組成：Ｔｉ−０．５Ｆｅ−０．３Ｏ−０．６Ｓｉ））、神戸製鋼所社製、Ｔｉ−８１１−Ｃ（組成：Ｔｉ−８Ａｌ−１Ｍｏ−１Ｖ−０．１５Ｃ）、およびＴｉ−１５Ｖ−３Ｃｒ−３Ａｌ−３Ｓｎの組成を有するチタン合金を用いることができる。
また、チタン合金として、ＪＦＥホールディング社製、ＳＰ７００（商品名（組成：Ｔｉ−４．５Ａｌ−３Ｖ−２Ｍｏ−２Ｆｅ））を用いることができる。
さらには、チタン合金として、大同特殊鋼社製、ＶＬＴｉ（商品名（組成：Ｔｉ−６Ａｌ−１Ｆｅ））および大同特殊鋼社製、ＣＡＴｉ（商品名（組成：Ｔｉ−３Ａｌ−１３Ｃｒ−１Ｆ））ならびに新日本製鉄社製、５１ＡＦ（商品名（組成：Ｔｉ−５Ａｌ−１Ｆｅ））を用いることができる。
【００３８】
本実施形態においては、図１および図２に示す第１の実施形態のゴルフクラブヘッドについて、図３に示す第１の測定装置１００を用いて、打球音、および共振周波数を測定した。この結果を図５（ａ）および（ｂ）に示す。
また、図１および図２に示す第１の実施形態のゴルフクラブヘッドに比して、ソール部の形状が通常である普通のゴルフクラブヘッドについても、図３に示す第１の測定装置１００を用いて、打球音、および共振周波数を測定した。この結果を図６（ａ）および（ｂ）に示す。
【００３９】
ここで、図５（ａ）は、縦軸に音圧をとり、横軸に周波数をとって、第１の実施形態のゴルフクラブヘッドの打球音の周波数分布を示すグラフである。図５（ｂ）は、縦軸に音圧をとり、横軸に時間をとって、第１の実施形態のゴルフクラブヘッドの打球音の時間変化を示すグラフである。
また、図６（ａ）は、縦軸に音圧をとり、横軸に周波数をとって、普通のゴルフクラブヘッドの打球音の周波数分布を示すグラフである。図６（ｂ）は、縦軸に音圧をとり、横軸に時間をとって、普通のゴルフクラブヘッドの打球音の時間変化を示すグラフである。
【００４０】
図５（ａ）に示すように、本実施形態のゴルフクラブヘッド２０においては、打球音を周波数解析した結果、音圧レベルが略同じで、共振周波数の値が近い２つのピークＰ１、Ｐ２が生じている。これにより、図５（ｂ）に示すように、うなりｂが生じる。このため、上述のように、本実施形態のゴルフクラブヘッドの打球音については、打球音が大きくなるとともに、残響も長くなる。
【００４１】
これに対して、図６（ａ）に示すように、普通のゴルフクラブヘッドにおいては、２つのピークＱ１、Ｑ２が得られるものの、共振周波数の値が離れており、かつ音圧レベルも異なる。これにより、図６（ｂ）に示すように、うなりが生じず、音圧が単調に減少する。このため、普通のゴルフクラブヘッドは、打球音が大きくならず、かつ残響も短い。
【００４２】
次に、本発明の第１の実施形態のゴルフクラブヘッド２０の変形例について説明する。
図７は、本発明の第１の実施形態のゴルフクラブヘッドの変形例に係るゴルフクラブヘッドを示す模式的側断面図である。
なお、本変形例において、図１および図２に示す実施形態のゴルフクラブ１０（ゴルフクラブヘッド２０）と同一構成物には同一符号を付して、その詳細な説明は省略する。
【００４３】
本変形例のゴルフクラブヘッド６０は、第１の実施形態のゴルフクラブヘッド２０（図２参照）と比較して、ソール部２４ａの構成が異なり、それ以外の構成は実施形態のゴルフクラブヘッド２０の構成と同様であるのでその詳細な説明は省略する。
【００４４】
本変形例のゴルフクラブヘッド６０においては、ソール部２４ａに、フェース面２３の最小曲率半径よりも曲率半径が大きい領域６２が、水平に形成されている。この領域６２も円形状を呈するものである。
なお、ソール部２４ａは、材質などについては、第１の実施形態のゴルフクラブヘッド２０のソール部２４と同様の構成である。ゴルフクラブヘッド６０の内部６０ａには、領域６２の外縁に沿ってリブ５２が形成されている。
このような構成により、本変形例のゴルフクラブヘッド６０においても、第１の実施形態と同様の効果を得ることができる。
【００４５】
また、本変形例においては、領域６２の最小曲率半径がフェース部２２のフェース面２３の最小曲率半径よりも大きいことが好ましい。
また、この領域６２も、最小曲率半径を３００ｍｍ以上とし、領域６２の大きさ（面積）をフェース面２３の面積の３０〜１２０％とすることがより好ましい。これにより、領域６２が面として振動しやすくなり、十分な振幅が得られる。このため、打球音がより大きくなるとともに、打球音の残響が従来よりも一層長くなる。
さらに、本変形例においても、リブ５２は、第１の実施形態と同様に、必ずしも設ける必要はない。
なお、領域６２における最小曲率半径とは、方向を問わず、曲率半径が最も小さいもののことである。
【００４６】
次に、本発明の第２の実施形態について説明する。
図８は、本発明の第２の実施形態に係るゴルフクラブヘッドを示す模式的側断面図である。
なお、本実施形態において、図１および図２に示す第１の実施形態のゴルフクラブ１０（ゴルフクラブヘッド２０）と同一構成物には同一符号を付して、その詳細な説明は省略する。
【００４７】
本実施形態のゴルフクラブヘッド７０は、ソール部２４、クラウン部７２、およびサイド部２８、２９のうち、少なくとも２つの部材に、フェース面２３の最小曲率半径よりも曲率半径が大きい領域が形成されたものである。このゴルフクラブヘッド７０は、第１の実施形態のゴルフクラブヘッド２０（図２参照）と比較して、クラウン部７２の構成が異なり、それ以外の構成は、第１の実施形態のゴルフクラブヘッド２０の構成と同様であるのでその詳細な説明は省略する。
【００４８】
本実施形態のゴルフクラブヘッド７０においては、クラウン部７２に、フェース面２３の最小曲率半径よりも曲率半径が大きい領域７４が形成されている。このクラウン部７２は、材質などについては、第１の実施形態のゴルフクラブヘッド２０のクラウン部２６と同様の構成である。この領域７４は、円形状を呈するものであり、領域５０と同じ形状である。
また、領域７４の外縁に沿って、所定の高さを有するリブ７６が形成されている。このリブ７６は、第１の実施形態のソール部２４のリブ５２と同様の機能を有し、かつ同様の構成である。
領域７４においては、この領域７４の外縁を境界として、クラウン部７２の他の領域から独立した状態（分離された状態）で振動することができる。
また、領域５０の最小曲率半径、および領域７４の最小曲率半径は、それぞれフェース部２２のフェース面２３の最小曲率半径よりも大きいことが好ましい。
【００４９】
また、領域５０の共振周波数と領域７４の共振周波数との差は、領域５０および領域７４のうち、共振周波数の値が小さい方の共振周波数の値の±１０％以内である。この共振周波数は、例えば、１次共振周波数または２次共振周波数である。なお、共振周波数は、例えば、３次以上の高次の共振周波数であってもよい。
本実施形態においては、例えば、領域５０の１次共振周波数が４４００Ｈｚであり、領域７４の１次共振周波数が４８００Ｈｚである。
【００５０】
また、領域５０と、領域７４との形状は同一であることが好ましい。このように、領域５０と、領域７４とを、同一形状とすることにより、モード形状が同じになるため、より共振が起こりやすくなる。
【００５１】
本実施形態のゴルフクラブヘッド６０においては、ゴルフボールを打撃して衝撃を受けると、ソール部２４およびクラウン部７２が変形する。これにより、領域５０は、ソール部２４の他の領域とは独立して変形して振動し、領域７４も、クラウン部７２の他の領域とは独立して変形して振動する。このとき、フェース部２２のフェース面２３からの音と、さらにソール部２４の領域５０の振動による音、およびクラウン部７２の領域７４の振動による音が生じる。
ソール部２４の領域５０の振動による音、およびクラウン部７２の領域７４の振動による音は、周波数が近く、干渉し合成音が生じる。この合成音の音は大きく、更には、うなりが生じ、音が減衰する割合が従来よりも小さくなる。
このため、本実施形態においても、ゴルフボールの打撃時において、打球音が大きくなるとともに、打球音の残響が従来よりも長くなる。これにより、ゴルファにとって好ましい打球感を得ることができる。例えば、打球音について、金属音を大きくするとともに、金属音の残響を長くすることができる。
【００５２】
また、本実施形態においては、領域５０および領域７４の共振周波数を、フェース面２３の共振周波数に近づけることにより、フェース面２３から発生する音を更に大きくすることができる。
なお、本実施形態においては、領域５０から発生する音および領域７４から発生する音により、打球音を大きくするとともに、残響を長くするものである。このため、領域５０および領域７４の共振周波数は、いずれもフェース面２３の共振周波数の値に近くなくてもよい。
【００５３】
さらには、本実施形態においては、フェース面２３に依らず、領域５０と領域７４とにより、打球音を大きくし、残響を長くするものであるため、領域５０と領域７４との共振周波数を適宜変えることにより、ゴルフクラブヘッドのもともとの打球音に対して、その打球音の音色を変えることもできる。これにより、ゴルファが好ましいと感じる打球音の音色にすることができる。
その他、本実施形態においては、第１の実施形態と同様の効果を得ることができる。
【００５４】
また、本実施形態においても、領域５０の曲率半径、および領域７４の曲率半径は、それぞれ、最小曲率半径が３００ｍｍ以上であり、領域５０および領域７４の大きさ（面積）は、それぞれフェース面２３の面積の３０〜１２０％であることがより好ましい。
領域５０の最小曲率半径、および領域７４の最小曲率半径を、それぞれ３００ｍｍ以上とし、領域５０の大きさ（面積）、および領域７４の大きさ（面積）を、それぞれフェース面２３の面積の３０〜１２０％とすることにより、領域５０および領域７４が、それぞれ面として振動しやすくなり、十分な振幅が得られる。これにより、打球音がより大きくなるとともに、打球音の残響が従来よりも一層長くなる。
ここで、領域７４における最小曲率半径とは、方向を問わず、曲率半径が最も小さいもののことである。
【００５５】
また、本実施形態においては、ソール部２４とクラウン部７２とにそれぞれ領域５０、７２を設ける構成としたが、本発明は、これに限定されるものではなく、ソール部２４、クラウン部７２、およびサイド部２８、２９のうち、少なくとも２つの部材に、領域を設ける構成であれば、設ける位置については特に限定されるものではない。しかしながら、対向する２つの部材に向かい合うように、領域を設け、音を効果的に干渉させることが好ましい。
また、本実施形態においても、リブ５２、リブ７６は、第１の実施形態と同様に、必ずしも設ける必要はない。
【００５６】
次に、本発明の第２の実施形態のゴルフクラブヘッド７０の変形例について説明する。
図９は、本発明の第２の実施形態のゴルフクラブヘッドの変形例に係るゴルフクラブヘッドを示す模式的側断面図である。
なお、本変形例において、図８に示す第２の実施形態のゴルフクラブヘッド７０と同一構成物には同一符号を付して、その詳細な説明は省略する。
【００５７】
本変形例のゴルフクラブヘッド８０は、第２の実施形態のゴルフクラブヘッド７０（図８参照）と比較して、ソール部２４ａおよびクラウン部７２ａの構成が異なり、それ以外の構成は第２の実施形態のゴルフクラブヘッド７０の構成と同様であるのでその詳細な説明は省略する。
【００５８】
本変形例のゴルフクラブヘッド８０においては、ソール部２４ａに、フェース面２３の最小曲率半径よりも曲率半径が大きい領域６２が、水平に形成されている。この領域６２は、円形状を呈するものである。
なお、ソール部２４ａは、材質などについては、第２の実施形態のゴルフクラブヘッド７０のソール部２４と同様の構成である。
【００５９】
また、クラウン部７２ａには、フェース面２３の最小曲率半径よりも曲率半径が大きい領域８２が、水平に形成されている。この領域８２は、円形状を呈するものである。
さらに、本変形例において、領域６２の最小曲率半径、および領域８２の最小曲率半径が、それぞれフェース部２２のフェース面２３の最小曲率半径よりも大きいことが好ましい。
また、本変形例においても、領域６２の最小曲率半径、および領域８２の最小曲率半径を、それぞれ３００ｍｍ以上とし、領域６２の大きさ（面積）、および領域８２の大きさ（面積）を、それぞれフェース面２３の面積の３０〜１２０％とすることが好ましい。これにより、領域６２および領域８２が、それぞれ面として振動しやすくなり、十分な振幅が得られる。このため、打球音がより大きくなるとともに、打球音の残響が従来よりも一層長くなる。
なお、領域８２における最小曲率半径とは、方向を問わず、曲率半径が最も小さいもののことである。
【００６０】
なお、クラウン部７２ａは、材質などについては、第２の実施形態のゴルフクラブヘッド７０のクラウン部７２と同様の構成である。
ゴルフクラブヘッド８０の内部８０ａには、ゴルフクラブヘッド８０の内部８０ａには、領域６２の外縁にリブ５２が形成されている。また、領域８２の外縁にリブ７６が形成されている。
このような構成により、本変形例のゴルフクラブヘッド８０においても、第２の実施形態と同様の効果を得ることができる。
また、本変形例においても、リブ５２およびリブ７６は、第２の実施形態と同様に、必ずしも設ける必要はない。
【００６１】
次に、本発明の第３の実施形態について説明する。
図１０（ａ）は、本発明の第３の実施形態に係るゴルフクラブヘッドを上側にソール部を向けた状態で示す模式的斜視図であり、（ｂ）は、図１０（ａ）のゴルフクラブヘッドの内部の状態を示す模式的上面図である。なお、図１０（ｂ）においては、ゴルフクラブヘッド９０のクラウン部２６の図示を省略している。
る。
なお、本実施形態において、図１および図２に示す第１の実施形態のゴルフクラブ１０（ゴルフクラブヘッド２０）と同一構成物には同一符号を付して、その詳細な説明は省略する。
【００６２】
本実施形態のゴルフクラブヘッド９０は、ソール部２４、クラウン部２６、およびサイド部２８、２９のうち、少なくとも１つの部材に、フェース面２３の最小曲率半径よりも曲率半径が大きい領域が複数形成されたものである。このゴルフクラブヘッド９０は、第１の実施形態のゴルフクラブヘッド２０（図２参照）と比較して、ソール部９２の構成が異なり、それ以外の構成は、第１の実施形態のゴルフクラブヘッド２０の構成と同様であるのでその詳細な説明は省略する。
【００６３】
本実施形態のゴルフクラブヘッド９０においては、ソール部９２に、フェース面２３の最小曲率半径よりも曲率半径が大きい領域が、略円形状に形成されており、この領域の外縁を囲むように、所定の高さを有するリング状の第１リブ９４ａが形成されている。この第１リブ９４ａの中心を通り、第１リブ９４ａに囲まれた領域を２分割するように、所定の高さを有する直線状の第２リブ９４ｂが形成されている。これにより、フェース面２３の最小曲率半径よりも曲率半径が大きい第１の領域９６と、第２の領域９８とが構成される。これらの第１の領域９６、および第２の領域９８は、いずれも半円状であり、形状が同一である。
【００６４】
このゴルフクラブヘッド９０において、第１の領域９６は、第１の領域９６の外縁に位置する第１リブ９４ａおよび第２リブ９４ｂを境界として、ソール部９２の他の領域から独立した状態（分離された状態）で振動することができる。
また、第２の領域９８は、第２の領域９８の外縁に位置する第１リブ９４ａおよび第２リブ９４ｂを境界として、ソール部９２の他の領域から独立した状態（分離された状態）で振動することができる。
さらに、本実施形態においても、第１の領域９６、および第２の領域９８は、それぞれ最小曲率半径がフェース部２２のフェース面２３の最小曲率半径よりも大きいことが好ましい。
また、本実施形態において、ソール部９２の材質などは、第１の実施形態のゴルフクラブヘッド２０のソール部２４と同様の構成である。
また、第１リブ９４ａおよび第２リブ９４ｂは、第１の実施形態のソール部２４のリブ５２と同様の機能を有し、かつ同様の構成である。
【００６５】
また、本実施形態において、第１の領域９６の共振周波数と、第２の領域９８の共振周波数との差は、第１の領域９６および第２の領域９８のうち、共振周波数の値が小さい方の値の±１０％以内である。この共振周波数は、例えば、１次共振周波数または２次共振周波数である。なお、共振周波数は、例えば、３次以上の高次の共振周波数であってもよい。
本実施形態において、例えば、第１の領域９６の１次共振周波数が４４００Ｈｚであり、第２の領域９８の１次共振周波数が４８００Ｈｚである。
【００６６】
また、本実施形態においても、第１の領域９６と、第２の領域９８との形状は同一であることが好ましい。このように、第１の領域９６と、第２の領域９８とを、同一形状とすることにより、モード形状が同じになるため、より共振が起こりやすくなる。
しかしながら、第１の領域９６と、第２の領域９８との形状は、半円に限定されるものではない。
【００６７】
さらに、本実施形態においても、第１の領域９６の曲率半径、および第２の領域９８の曲率半径は、それぞれ、最小曲率半径が３００ｍｍ以上であり、第１の領域９６の曲率半径、および第２の領域９８のその大きさは、それぞれフェース面２３の面積の３０〜１２０％であることがより好ましい。
本実施形態においても、第１の領域９６の最小曲率半径、および第２の領域９８の最小曲率半径を、それぞれ３００ｍｍ以上とし、第１の領域９６の大きさ（面積）、および第２の領域９８の大きさ（面積）を、それぞれフェース面２３の面積の３０〜１２０％とすることにより、第１の領域９６および第２の領域９８が、それぞれ面として振動しやすくなり、十分な振幅が得られる。これにより、打球音がより大きくなるとともに、打球音の残響が従来よりも一層長くなる。
なお、第１の領域９６および第２の領域９８における最小曲率半径とは、方向を問わず、曲率半径が最も小さいもののことである。
【００６８】
本実施形態のゴルフクラブヘッド９０においては、ゴルフボールを打撃して衝撃を受け、ソール部９２が変形し、第１の領域９６および第２の領域９８が、いずれもソール部９２の他の領域とは独立して変形して振動する。
このとき、フェース部２２のフェース面２３からの音と、さらにソール部９２の第１の領域９６の振動による音、および第２の領域９８の振動による音とが生じる。
ソール部２４の第１の領域９６の振動による音、および第２の領域９８の振動による音は、周波数が近く、干渉して合成音が生じる。この合成音は、音圧が高く音が大きい。さらには、合成音は、うなりが生じ、音が減衰する割合が従来よりも小さくなる。
このため、本実施形態においても、ゴルフボールの打撃時において、打球音が大きくなるとともに、打球音の残響が従来よりも長くなる。これにより、ゴルファにとって好ましい打球感を得ることができる。例えば、打球音について、金属音を大きくするとともに、金属音の残響を長くすることができる。
【００６９】
また、本実施形態においては、第１の領域９６および第２の領域９８の共振周波数を、フェース面２３の共振周波数に近づけることにより、フェース面２３から発生する音を更に大きくすることができる。
なお、本実施形態においては、第１の領域９６から発生する音および第２の領域９８から発生する音により、打球音を大きくするとともに、残響を長くするものである。このため、第１の領域９６および第２の領域９８の共振周波数は、いずれもフェース面２３の共振周波数の値に近くなくてもよい。
【００７０】
さらには、本実施形態においては、フェース面２３に依らず、第１の領域９６、および第２の領域９８により、打球音を大きくし、残響を長くするものであるため、第１の領域９６と第２の領域９８との共振周波数を適宜変えることにより、ゴルフクラブヘッドのもともとの打球音に対して、その打球音の音色を変えることもできる。これにより、ゴルファが好ましいと感じる打球音の音色にすることができる。
その他、本実施形態においては、第１の実施形態と同様の効果を得ることができる。
【００７１】
また、本実施形態においては、ソール部９２に、第１の領域９６、および第２の領域９８を設ける構成としたが、本発明は、これに限定されるものではなく、ソール部９２、クラウン部２６、およびサイド部２８、２９のうち、少なくとも１つの部材に、複数の領域を設ける構成であれば、領域を設ける位置については特に限定されるものではない。
しかしながら、ソール部２４に第１の領域９６、および第２の領域９８を設けることにより、他のクラウン部２６、およびサイド部２８、２９に設けるよりも低重心化を図ることができるために好ましい。
【００７２】
また、本発明の第１の実施形態およびその変形例、本発明の第２の実施形態およびその変形例ならびに第３の実施形態においては、リブを設ける構成としたが、これに限定されるものではなく、リブに代えて肉盛部を設ける構成でもよい。この肉盛部は、例えば、ビードにより形成されるものである。
【００７３】
また、本発明の第１の実施形態およびその変形例、ならびに本発明の第２の実施形態およびその変形例においては、領域を設け、この領域を円形状としたが、これに限定されるものではなく、共振周波数などに応じて、円形に代えて矩形など、適宜その形状は変更されるものである。
【００７４】
さらに、本発明の第１の実施形態の変形例、第２の実施形態の変形例および第３の実施形態においては、ゴルフクラブヘッド６０、７０、８０、９０について説明しているが、これらの第１の実施形態の変形例、第２の実施形態の変形例および第３の実施形態のゴルフクラブヘッド６０、７０、８０、９０を有するゴルフクラブについても、第１の実施形態のゴルフクラブと同様の効果を得ることができることは言うまでもない。
【００７５】
以上、本発明のゴルフクラブヘッドおよびゴルフクラブについて説明したが、本発明は上述の実施形態に限定はされず、本発明の要旨を逸脱しない範囲において、各種の改良または変更を行ってもよいのは、もちろんである。
【図面の簡単な説明】
【００７６】
【図１】本発明の第１の実施形態に係るゴルフクラブを示す分解斜視図である。
【図２】図１の模式的側断面図である。
【図３】本発明の第１の実施形態に係るゴルフクラブヘッドの共振周波数の第１の測定装置を示す模式図である。
【図４】本発明の第１の実施形態に係るゴルフクラブヘッドの共振周波数の第２の測定装置を示す模式図である。
【図５】（ａ）は、縦軸に音圧をとり、横軸に周波数をとって、第１の実施形態のゴルフクラブヘッドの打球音の周波数分布を示すグラフであり、（ｂ）は、縦軸に音圧をとり、横軸に時間をとって、第１の実施形態のゴルフクラブヘッドの打球音の時間変化を示すグラフである。
【図６】（ａ）は、縦軸に音圧をとり、横軸に周波数をとって、普通のゴルフクラブヘッドの打球音の周波数分布を示すグラフであり、（ｂ）は、縦軸に音圧をとり、横軸に時間をとって、普通のゴルフクラブヘッドの打球音の時間変化を示すグラフである。
【図７】本発明の第１の実施形態のゴルフクラブヘッドの変形例に係るゴルフクラブヘッドを示す模式的側断面図である。
【図８】本発明の第２の実施形態に係るゴルフクラブヘッドを示す模式的側断面図である。
【図９】本発明の第２の実施形態のゴルフクラブヘッドの変形例に係るゴルフクラブヘッドを示す模式的側断面図である。
【図１０】（ａ）は、本発明の第３の実施形態に係るゴルフクラブヘッドを上側にソール部を向けた状態で示す模式的斜視図であり、（ｂ）は、図１０（ａ）のゴルフクラブヘッドの内部の状態を示す模式的上面図である。
【符号の説明】
【００７７】
１０  ゴルフクラブ
２０、６０、７０、８０、９０  ゴルフクラブヘッド
２２  フェース部
２３  フェース面
２４、２４ａ、９２  ソール部
２６、７２、７２ａ  クラウン部
２８、２９  サイド部
３０  ホーゼル部
３２、４４  開口部
４０  ゴルフクラブシャフト
５０、６２、７４、８２  領域
５２、６４  リブ
９４ａ  第１リブ
９４ｂ  第２リブ
９６  第１の領域
９８  第２の領域
１００  第１の測定装置
１２０  第２の測定装置
【図１】
2008200339.tif 000003
【図２】
2008200339.tif 000004
【図３】
2008200339.tif 000005
【図４】
2008200339.tif 000006
【図５】
2008200339.tif 000007
【図６】
2008200339.tif 000008
【図７】
2008200339.tif 000009
【図８】
2008200339.tif 000010
【図９】
2008200339.tif 000011
【図１０】
2008200339.tif 000012